(57)【要約】【課題】  立木を側方から切断し、立木の上方側の部位が転倒した後に所定距離以上移動するのを防止できると共に、伐採作業を簡素化することができる伐採補助具を提供する。【解決手段】  立木１００を側方から切断し、立木１００の上方側の部位１０３を転倒させて伐採する際に用いられる伐採補助具１において、立木１００の上方側の部位１０３を保持する第１保持体２と、立木１００の下方側１０４の部位を保持する第２保持体３と、第１保持体２と第２保持体３とが所定距離以上離反するのを防止すると共に、立木１００の上方側の部位１０３が転倒する際に上方側の部位１０３の下端部を中心に回動すべく、第１保持体２と第２保持体３とを接続する接続体４，４とを備えることを特徴とする。【選択図】  図１
2011167158.tif 000002
【特許請求の範囲】
【請求項１】
立木を側方から切断し、立木の上方側の部位を転倒させて伐採する際に用いられる伐採補助具において、
立木の上方側の部位を保持する第１保持体と、
立木の下方側の部位を保持する第２保持体と、
第１保持体と第２保持体とが所定距離以上離反するのを防止すると共に、立木の上方側の部位が転倒する際に上方側の部位の下端部を中心に回動すべく、第１保持体と第２保持体とを接続する接続体とを備えることを特徴とする伐採補助具。
【請求項２】
接続体は、剛性を有するリンク部材を複数備え、
第１保持体及びリンク部材、リンク部材同士、並びにリンク部材及び第２保持体は、それぞれ同一方向を中心に回転可能に連結される請求項１に記載の伐採補助具。
【請求項３】
接続体は、剛性を有するリンク部材を一つ備え、
リンク部材は、一方の保持体に、連結軸を中心に回転可能に連結され、
他方の保持体は、連結軸と直交する面に沿ってリンク部材を案内する案内部と、第１保持体と第２保持体とが所定距離以上離反するのを防止すべく、リンク部材を係止可能な係止部とを備える請求項１に記載の伐採補助具。
【請求項４】
接続体は、立木を介在して配置されるべく、離間して一対設けられる請求項２又は３に記載の伐採補助具。
【発明の詳細な説明】
【技術分野】
【０００１】
本発明は、立木を側方から切断し、立木の上方側の部位を転倒させて伐採する際に用いられる伐採補助具に関する。
【背景技術】
【０００２】
従来、立木を伐採する方法として、立木を側方から切断し、立木の上方側の部位を転倒させる方法が知られている。斯かる方法においては、立木の上方側の部位が転倒した後に例えば山の斜面を滑ったりして所定距離以上移動すると、災害を発生させることがある。したがって、当該災害を防止するために、立木の上方側の部位が転倒した後に所定距離以上移動するのを防止する伐採補助具が使用されている。
【０００３】
そして、斯かる伐採補助具として、立木の上方側の部位を保持する第１保持体と、立木の下方側の部位を保持する第２保持体と、各保持体同士が連結軸により回転可能に連結される伐採補助具が知られている（例えば、特許文献１〜３）。斯かる伐採補助具によれば、立木を側方から切断し、立木の上方側の部位を連結軸を中心に回動させることで、当該部位を転倒させ、当該部位が所定距離以上移動するのを防止できる。
【先行技術文献】
【特許文献】
【０００４】
【特許文献１】実用新案登録第３１２７７４０号公報
【特許文献２】特開２００６−６３７３０号公報
【特許文献３】特開平１０−１２１４７５号公報
【発明の概要】
【発明が解決しようとする課題】
【０００５】
ところで、特許文献１〜３に係る伐採補助具においては、連結軸は、立木の外方の位置、即ち、軸心方向で立木と重ならない位置に配置されている。これにより、立木の上方側の部位を転倒させる際には、当該部位が自身の重力で自然と回動できるまで、当該部位をその位置まで持ち上げることが必要である。
【０００６】
したがって、当該部位を持ち上げるための装置を必要とする場合がある。しかも、当該部位を持ち上げるには、立木を横方向で完全に切断させておく必要もあるため、伐採作業が非常に大掛りのものになっているという問題を生じさせていた。
【０００７】
よって、本発明は、斯かる事情に鑑み、立木を側方から切断し、立木の上方側の部位が転倒した後に所定距離以上移動するのを防止できると共に、伐採作業を簡素化することができる伐採補助具を提供することを課題とする。
【課題を解決するための手段】
【０００８】
本発明に係る伐採補助具は、立木を側方から切断し、立木の上方側の部位を転倒させて伐採する際に用いられる伐採補助具において、立木の上方側の部位を保持する第１保持体と、立木の下方側の部位を保持する第２保持体と、第１保持体と第２保持体とが所定距離以上離反するのを防止すると共に、立木の上方側の部位が転倒する際に上方側の部位の下端部を中心に回動すべく、第１保持体と第２保持体とを接続する接続体とを備えることを特徴とする。
【０００９】
本発明に係る伐採補助具によれば、第１保持体が立木の上方側の部位を保持すると共に、第２保持体が立木の下方側の部位を保持する。そして、接続体が第１保持体と第２保持体とを接続するため、第１保持体と第２保持体とが所定距離以上離反するのを防止でき、その結果、切断される部位の上方側の部位と下方側の部位とを所定距離以上離反するのを防止できる。
【００１０】
さらに、立木の上方側の部位が転倒する際に上方側の部位の下端部を中心に回動するように、接続体が第１保持体と第２保持体とを接続している。したがって、立木の上方側の部位を転倒させるのに、立木の上方側の部位を持ち上げることが必須の要件ではなくなり、しかもこれにより、立木を横方向で完全に切断させておくことも必須の要件ではなくなる。
【００１１】
また、本発明に係る伐採補助具においては、接続体は、剛性を有するリンク部材を複数備え、第１保持体及びリンク部材、リンク部材同士、並びにリンク部材及び第２保持体は、それぞれ同一方向を中心に回転可能に連結されてもよい。
【００１２】
斯かる構成の伐採補助具によれば、接続体には、剛性を有するリンク部材が複数設けられている。そして、第１保持体及びリンク部材、リンク部材同士、並びにリンク部材及び第２保持体がそれぞれ同一方向を中心に回転可能に連結されているため、立木を切断するのに伴って、第１保持体と第２保持体とが相対的に変位しても、各リンク部材がそれに追従して変位できる。
【００１３】
さらに、各リンク部材が回転中心の方向と直交する面に沿って回転することになるため、立木の上方側の部位を当該回転中心と同一方向を中心に回動することができる。したがって、立木を側方から切断し、立木の上方側の部位を所望の方向に転倒させることができる。
【００１４】
また、本発明に係る伐採補助具においては、接続体は、剛性を有するリンク部材を一つ備え、リンク部材は、一方の保持体に、連結軸を中心に回転可能に連結され、他方の保持体は、連結軸と直交する面に沿ってリンク部材を案内する案内部と、第１保持体と第２保持体とが所定距離以上離反するのを防止すべく、リンク部材を係止可能な係止部とを備えてもよい。
【００１５】
斯かる構成の伐採補助具によれば、接続体には、剛性を有するリンク部材が一つ設けられている。そして、立木を切断するのに伴って、第１保持体と第２保持体とが相対的に変位しても、リンク部材が、一方の保持体と連結される連結軸を中心として回転すると共に、連結軸と直交する面に沿って他方の保持体の案内部に案内されることで、追従して変位できる。
【００１６】
また、リンク部材が連結軸の軸心方向と直交する面に沿って変位することになるため、立木の上方側の部位を連結軸の軸心方向と直交する面に沿って回動させることができ、その結果、立木を側方から切断し、立木の上方側の部位を所望の方向に転倒させることができる。さらに、第１保持体と第２保持体とが所定距離以上離反しようとすると、係止部がリンク部材を係止するため、第１保持体と第２保持体とが所定距離以上離反するのを防止できる。
【００１７】
また、本発明に係る伐採補助具においては、接続体は、立木を介在して配置されるべく、離間して一対設けられてもよい。
【００１８】
斯かる構成の伐採補助具によれば、離間して設けられる一対の接続体が立木を介在して配置される。これにより、両側に配置された接続体により、立木が転倒する方向を制御することになるため、立木を側方から切断し、立木の上方側の部位を所望の方向に転倒させるのを確実に制御することができる。
【発明の効果】
【００１９】
以上の如く、本発明に係る伐採補助具によれば、立木を側方から切断し、立木の上方側の部位が転倒した後に所定距離以上移動するのを防止できると共に、伐採作業を簡素化することができるという優れた効果を奏する。
【図面の簡単な説明】
【００２０】
【図１】本発明の一実施形態に係る伐採補助具の全体図であって、立木に装着された正面図を示す。
【図２】同実施形態に係る伐採補助具の全体図であって、（ａ）は正面図、（ｂ）は上面図（平面図）を示す。
【図３】同実施形態に係る伐採補助具の全体図であって、（ａ）は左側面図、（ｂ）は右側面図を示す。
【図４】同実施形態に係る伐採補助具の立木への装着方法を説明する図であって、（ａ）は全体上面図（全体平面図）、（ｂ）は要部拡大上面図（要部拡大平面図）を示す。
【図５】同実施形態に係る伐採補助具を装着した立木の伐採方法を説明する図であって、（ａ）及び（ｂ）はそれぞれ全体正面図を示す。
【図６】本発明の他の実施形態に係る伐採補助具の全体図であって、（ａ）は正面図、（ｂ）は下面図（底面図）を示す。
【図７】本発明のさらに他の実施形態に係る伐採補助具の全体図であって、（ａ）及び（ｂ）はそれぞれ正面図を示す。
【発明を実施するための形態】
【００２１】
以下、本発明に係る伐採補助具における一実施形態について、図１〜図５を参酌して説明する。
【００２２】
本実施形態に係る伐採補助具の各構成を説明するのに先立って、図１を参酌して、立木１００を伐採する方法について説明する。まず、立木１００の一方の側方側（伐倒側）に三角形状の第１の切欠（受け口）１０１を形成するようにして、切断工具（チェーンソー等）で立木１００を切断する。
【００２３】
そして、他方の側方側（伐採側）から横方向（水平方向）に第２の切欠（追い口）１０２を形成するようにして、立木１００を切断する。これにより、立木１００の上方側の部位（以下「上方部位」という）１０３を転倒させて、立木１００の下方側の部位（以下「下方部位」という）１０４から切り離している。
【００２４】
図１〜図５に示すように、本実施形態に係る伐採補助具１は、上記のように、立木１００を側方から切断し、立木１００の上方部位１０３を転倒させて伐採する際に用いられる。そして、伐採補助具１は、立木１００の上方部位１０３を保持する第１保持体２と、立木１００の下方部位１０４を保持する第２保持体３とを備える。
【００２５】
また、伐採補助具１は、立木１００を介在して配置されるべく離間して配置され、第１保持体２と第２保持体３とを接続する一対の接続体４，４を備える。さらに、伐採補助具１は、切断工具（チェーンソー等）で立木１００を切断する際に、各接続体４を位置決めさせるための位置決め手段５，５を備える。
【００２６】
第１保持体２は、立木１００（上方部位１０３）を挟持する第１挟持部２１及び第２挟持部２２と、各挟持部２１，２２の一端部同士を枢着させる枢着部２３と、各挟持部２１，２２の他端部同士を取り付ける取付部２４とを備える。そして、第１保持体２は、各挟持部２１，２２を立木１００（上方部位１０３）に強固に固定するための第１及び第２固定手段２５，２６と、各接続体４に連結される連結部２７，２７とを備える。また、第１保持体２は、位置決め手段５を掛止するための掛止部２８，…を備える。
【００２７】
第１挟持部２１は、円弧状に形成され、一端部が枢着部２３を介して第２挟持部２２の一端部に枢着される第１基体部２１１を備える。また、第１挟持部２１は、円弧状に形成され、一端部が第１ヒンジ部材２１２を介して第１基体部２１１の他端部に枢着され、且つ他端部が第２挟持部２２の他端部と係合する第１係合部２１３を備える。
【００２８】
第２挟持部２２は、円弧状に形成され、一端部が枢着部２３を介して第１挟持部２１（第１基体部２１１）の一端部に枢着される第２基体部２２１を備える。また、第２挟持部２２は、円弧状に形成され、一端部が第２ヒンジ部材２２２を介して第２基体部２２１の他端部に枢着され、且つ他端部が第１挟持部２１（第１係合部２１３）の他端部と係合する第２係合部２２３を備える。
【００２９】
第１係合部２１３及び第２係合部２２３は、互いに重なり合う他端部に、嵌合する凹凸状の嵌合部２１３ａ，２２３ａをそれぞれ備える。具体的には、第２係合部２２３が外側から第１係合部２１３に重なるように構成され、第１係合部２１３の外周面と第２係合部２２３の内周面とに、それぞれ嵌合部２１３ａ，２２３ａが設けられている。また、第２係合部２２３は、周方向に沿って配置され且つ径方向で貫通する貫通孔２２３ｂを備える。
【００３０】
取付部２４は、第１係合部２１３から径方向外方に突出され、先端部が回転されることで、第２係合部２２３の貫通孔２２３ｂに挿通可能な状態と、第２係合部２２３を係止して抜け止め可能な状態（もしくは、貫通孔２２３ｂに挿入不能な状態）とに切り替え可能な留め部材２４１を備える。また、取付部２４は、各係合部２１３を係合する状態で維持させるべく、締結手段２４２，２４２を一対備える。
【００３１】
各締結手段２４２は、第１係合部２１３から径方向外方に突出し且つ第２係合部２２３の貫通孔２２３ｂよりも小さく形成されて貫通孔２２３ｂに挿入される第１螺子部材２４２ａと、貫通孔２２３ｂよりも大きく形成され、貫通孔２２３ｂに挿通された第１螺子部材２４２ａの先端部から螺合されることにより、第１螺子部材２４２ａを貫通孔２２３ｂから抜け止めさせる第２螺子部材２４２ｂとを備える。
【００３２】
第１固定手段２５は、径方向から立木１００を押圧することで、立木１００に第１保持体２を強固に固定させる。具体的には、第１固定手段２５は、各挟持部２１，２２の内側に配置され、立木１００に当接する複数（本実施形態においては三つ）の当接部２５１，…と、各当接部２５１で立木１００を押圧すべく、各当接部２５１を径方向に移動させる移動手段２５２とを備える。
【００３３】
各当接部２５１は、各挟持部２１，２２（具体的には、第１基体部２１１、第１係合部２１３及び第２基体部２２１）に収容され、内周面が各挟持部２１，２２の内周面と面一の状態から、移動手段２５２により径方向の内方に移動される。また、各移動手段２５２は、先端部が当接部２５１に対して回転可能に連結され、各挟持部２１，２２に設けられる螺子孔と螺合することで、径方向に移動する螺子部材としている。
【００３４】
第２固定手段２６は、径方向から立木１００に突き刺されることで、立木１００に第１保持体２を強固に固定させる。具体的には、第２固定手段２６は、先端部が尖って形成され、各挟持部２１，２２（詳しくは、第１基体部２１１、第２基体部２２１及び第２係合部２２３）に設けられる螺子孔と螺合することで、径方向に移動する複数の先鋭部材２６１，…を備える。
【００３５】
各連結部２７は、各挟持部２１，２２の一端側、具体的には、各基体部２１１，２２１の一端側であって、且つ各挟持部２１，２２の外方側に配置される。そして、各連結部２７は、挟持部２１（２２）側（内方側）が挟持部２１（２２）の形状に対応して湾曲した凹状に形成される一方、接続体４側（外方側）が平面状に形成されている。
【００３６】
各掛止部２８は、各挟持部２１，２２から下方側に突出して設けられると共に、先端部がフック状に形成されている。そして、掛止部２８，…は、第１ヒンジ部材２１２、第２ヒンジ部材２２２及び枢着部２３の下方側にそれぞれ連結されている。
【００３７】
第２保持体３は、第１保持体２に対して、掛止部２８，…を備えていない点を除いては、略同一の構成であり、第１基体部３１１、第１ヒンジ部材３１２及び第１係合部３１３を有する第１挟持部３１と、第２基体部３２１、第２ヒンジ部材３２２及び第２係合部３２３を有する第２挟持部３２と、枢着部３３と、留め部材３４１及び締結手段３４２，３４２を有する取付部３４と、当接部３５１，…及び移動手段３５２，…を有する第１固定手段３５と、先鋭部材３６１，…を有する第２固定手段３６と、連結部３７，３７とを備える。
【００３８】
各接続体４は、第１保持体２と第２保持体３とを接続することで、第１保持体２と第２保持体３とが所定距離以上離反するのを防止するように構成されている。さらに、各接続体４は、剛性を有するリンク部材４１〜４４を複数（本実施形態において四つ）備え、立木１００の上方部位１０３が転倒する際に上方部位１０３の下端部を中心に回動するように構成されている。
【００３９】
各リンク部材４１〜４４は、長尺で且つ平板状に形成される。また、各リンク部材４１〜４４は、平面状の表面が互いに平行となるように配置されると共に、表面と直交する方向を中心に回転可能に互いに連結されている。具体的には、第１保持体２及びリンク部材４１、リンク部材４１〜４４同士、並びにリンク部材４４及び第２保持体３は、軸心方向が同一方向となるように配置される各軸体４５〜４９を介して、それぞれ同一方向を中心に回転可能に連結されている。
【００４０】
より具体的には、第１リンク部材４１は、一端部が第１保持体２の連結部２７に第１軸体４５を介して枢着されると共に、他端部が第２リンク部材４２の一端部に第２軸体４６を介して枢着され、第２リンク部材４２は、他端部が第３リンク部材４３の一端部に第３軸体４７を介して枢着され、第３リンク部材４３は、他端部が第４リンク部材４８の一端部に第４軸体４８を介して枢着され、第４リンク部材４４は、他端部が第２保持体３の連結部３７に第５軸体４９を介して枢着されている。
【００４１】
各位置決め手段５は、第１保持体２の掛止部２８と何れかの軸体（本実施形態においては第３軸体）４７とに跨って掛止される。また、各位置決め手段５は、長さを調整可能に構成され、各接続体４を所望の状態で位置決めさせる。そして、各位置決め手段５は、立木１００の上方部位１０３が転倒する際に、転倒に伴って受ける外力により、伸長したり、又は、破断したり、或いは、軸体４７から外れることで、上方部位１０３が転倒する障害とはならないように構成されている。
【００４２】
本実施形態に係る伐採補助具１の構成については以上の通りであり、次に、本実施形態に係る伐採補助具１の立木１００への装着方法及び伐採補助具１を用いた伐採方法について説明する。
【００４３】
まず、図４に示すように、立木１００の外周に亘ってパッキン６を配置した上で、第１保持体２を立木１００の外方に配置させる。そして、枢着部２３により、各基体部２１１，２２１を内方（図４（ａ）のＣ矢印方向）に向けて回転させて、パッキン６を介して立木１００に押し当てる。
【００４４】
次に、第１ヒンジ部材２１２を介して、第１係合部２１３を内方（図４（ａ）のＤ矢印方向）に向けて回転させて、その後に、第２ヒンジ部材２２２を介して、第２係合部２２３を内方（図４（ａ）のＥ矢印方向）に向けて回転させる。このとき、留め部材２４１が第２係合部２２３の貫通孔２２３ｂに挿通可能な状態（図４（ａ）の状態）であるため、留め部材２４１及び各第１螺子部材２４２ａが第２係合部２２３の貫通孔２２３ｂに挿通される。
【００４５】
そして、留め部材２４１の先端部を略９０°（図４（ｂ）のＦ矢印方向に）回転させると、留め部材２４１が第２係合部２２３を係止して抜け止め可能な状態（図４（ｂ）の状態）となり、各係合部２１３，２２３同士を仮留めできる。そして、各第２螺子部材２４２ｂを各第１螺子部材２４２ａの先端部から内方（図４（ｂ）のＧ矢印方向）に向けて螺合させることで、貫通孔２２３ｂよりも大きい第２螺子部材２４２ｂが第２係合部２２３を係止するため、各係合部２１３，２２３同士を締結して係合する状態で維持させる。
【００４６】
また、各移動手段２５２を各挟持部２１，２２と螺合させることで、当接部２５１の内周面が各挟持部２１，２２の内周面と面一の状態から、当接部２５１を内方（図４（ｂ）のＨ方向）に向けて移動させる。これにより、各当接部２５１が立木１００を径方向で押圧するため、第１固定手段２５が第１保持体２を立木１００に強固に固定させる。
【００４７】
さらに、各先鋭部材２６１を各挟持部２１，２２と螺合させることで、各先鋭部材２６１を内方（図４（ｂ）のＩ方向）に向けて移動させる。これにより、各先鋭部材２６１の先端部が径方向から立木１００に突き刺さるため、第２固定手段２６が第１保持体２を立木１００に強固に固定させる。なお、続いて、第２保持体３も、第１保持体２と同様に、立木１００を保持するようにして立木１００に固定させる。
【００４８】
そして、図５（ａ）に示すように、立木１００の一方の側方側に受け口１０１を形成するために、各位置決め手段５を、各ヒンジ部材２１２，２２２側の掛止部２８と第３軸体４７とに跨って掛止させる。このとき、各位置決め手段５が四つのリンク部材４１〜４４の中間部である第３軸体４７を支持することになるため、各リンク部材４１〜４４の位置が一定に維持される。したがって、各接続体４が受け口１０１を形成するのに障害とならない。
【００４９】
次に、図５（ｂ）に示すように、立木１００の他方の側方側に追い口１０２を形成するために、各位置決め手段５を、枢着部２３側の掛止部２８と第３軸体４７とに跨って掛止させる。このときも、各位置決め手段５が四つのリンク部材４１〜４４の中間部である第３軸体４７を支持することになるため、各リンク部材４１〜４４の位置が一定に維持される。したがって、各接続体４が追い口１０２を形成するのに障害とならない。
【００５０】
そして、立木１００に追い口１０２を形成していくと、図１に示すように、立木１００を横方向で完全に切断させる前に、立木１００の上方部位１０３が自身の重力により下端部（受け口１０１と追い口１０２との間）を中心に（図１のＡ矢印方向で）回動しながら転倒する。このとき、第１保持体２及びリンク部材４１、リンク部材４１〜４４同士、並びにリンク部材４４及び第２保持体３を連結する各軸体４５〜４９が同一方向で配置されているため、立木１００の上方部位１０３を所望の方向に転倒させることができる。
【００５１】
さらに、立木１００の上方部位１０３が転倒した勢いで立木１００の下方部位１０４から離反するように（図１のＢ矢印方向）に移動しようとする。このとき、接続体４が第１保持体２と第２保持体３とを接続しているため、第１保持体２と第２保持体３とが所定距離以上離反するのを防止でき、その結果、立木１００の上方部位１０３が下方部位１０４から所定距離以上離反するのを防止できる。
【００５２】
以上より、本実施形態に係る伐採補助具１によれば、第１保持体２が立木１００の上方部位１０３を保持すると共に、第２保持体３が立木１００の下方部位１０４を保持する。そして、各接続体４が第１保持体２と第２保持体３とを接続するため、第１保持体２と第２保持体３とが所定距離以上離反するのを防止でき、その結果、立木１００を側方から切断し、立木１００の上方部位１０３が転倒した後に所定距離以上移動するのを防止できる。
【００５３】
さらに、立木１００の上方部位１０３が転倒する際に上方部位１０３の下端部を中心に回動するように、各接続体４が第１保持体２と第２保持体３とを接続している。したがって、立木１００の上方部位１０３を転倒させるのに、立木１００の上方部位１０３を持ち上げることが必須の要件ではなくなり、しかもこれにより、立木１００を横方向で完全に切断させておくことが必須の要件ではなくなるため、伐採作業を簡素化することができる。
【００５４】
また、本実施形態に係る伐採補助具１によれば、接続体４には、剛性を有するリンク部材４１〜４４が複数設けられている。そして、第１保持体２及びリンク部材４１、リンク部材４１〜４４同士、並びにリンク部材４４及び第２保持体３が各軸体４５〜４９を介してそれぞれ同一方向を中心に回転可能に連結されているため、立木１００を切断するのに伴って、受け口１０１側が徐々に縮むことで、第１保持体２と第２保持体３とが相対的に徐々に変位しても、各リンク部材４１〜４４がそれに追従して変位できる。
【００５５】
さらに、各リンク部材４１〜４４が回転中心の方向（各軸体４５〜４９の軸心方向）と直交する面に沿って回転することになるため、立木１００の上方部位１０３を当該回転中心と同一方向を中心に回動することができる。したがって、立木１００を側方から切断し、立木１００の上方部位１０３を所望の方向に転倒させることができる。
【００５６】
また、本実施形態に係る伐採補助具１によれば、離間して設けられる一対の接続体４，４が立木１００を介在して配置される。これにより、両側に配置された接続体４，４により、立木１００が転倒する方向を制御することになるため、立木１００を側方から切断し、立木１００の上方部位１０３を所望の方向に転倒させるのを確実に制御することができる。
【００５７】
なお、本発明に係る伐採補助具は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００５８】
例えば、上記実施形態に係る伐採補助具１においては、接続体４が四つのリンク部材４１〜４４を備える場合を説明したが、斯かる場合に限られず、接続体は、一つ〜三つのリンク部材を備える場合でもよく、また、四つ以上のリンク部材を備える場合でもよい。さらには、接続体は、リンク部材を備えていない場合でもよい。ここで、接続体がリンク部材を一つ備える場合の例を図６に示し、接続体がリンク部材を備えていない場合の例を図７に示す。
【００５９】
図６に示す伐採補助具１０は、立木１００の上方部位１０３を保持する第１保持体２０と、立木１００の下方部位１０４を保持する第２保持体３０と、第１接続体２０と第２接続体３０とを接続する一対の接続体４０，４０とを備える。そして、各接続体４０は、剛性を有するリンク部材４１０を一つ備える。また、リンク部材４１０は、第１保持体２０に、連結軸４２０を中心に回転可能に連結される。
【００６０】
第２保持体３０は、各接続体４０と連結される連結部３７０，３７０を備える。そして、各連結部３７０は、リンク部材４１０を収容する連結部本体３７０ａと、連結軸４２０と直交する面に沿ってリンク部材４１０を案内する案内部３７０ｂ，３７０ｂと、第１保持体２０と第２保持体３０とが所定距離以上離反するのを防止すべく、リンク部材４１０の被係止部４３０を係止可能な係止部３７０ｃとを備える。
【００６１】
なお、連結部本体３７０ａは、立木１００が転倒する側（受け口１０１側）の側方と、上方と、下方とが開放されて形成されている。また、図６に係る構成に限られず、第１保持体に、リンク部材を案内する案内部と、リンク部材を係止する係止部が設けられ、第２保持体に、リンク部材を回転可能に連結するための連結軸が設けられる場合でもよい。
【００６２】
斯かる構成の伐採補助具１０によれば、各接続体４０には、剛性を有するリンク部材４１０が一つ設けられている。そして、立木１００を切断するのに伴って、受け口１０１側が徐々に縮むことで、第１保持体２０と第２保持体３０とが相対的に変位しても、リンク部材４１０が、第１保持体２０と連結される連結軸４２０を中心として回転すると共に、連結軸４２０と直交する面に沿って第３保持体３０の案内部３７０ｂに案内されることで、追従して変位できる。
【００６３】
また、リンク部材４１０が連結軸４２０の軸心方向と直交する面に沿って変位することになるため、立木１００の上方部位１０３を連結軸４２０の軸心方向と直交する面に沿って回動させることができ、その結果、立木１００を側方から切断し、上方部位１０３を所望の方向に転倒させることができる。さらに、第１保持体２０と第２保持体３０とが所定距離以上離反しようとすると、係止部３７０ｃがリンク部材４１０の被係止部４３０を係止するため、第１保持体２０と第２保持体３０とが所定距離以上離反するのを防止できる。
【００６４】
なお、図６に示す伐採補助具１０においては、立木１００に受け口１０３を形成した後に、立木１００に装着される必要がある。また、第１保持体２０には、上記実施形態に係る第１保持体２と異なり、位置決め手段５を掛止するための掛止部２８が存在していない。
【００６５】
図７に示す伐採補助具１１，１２は、第１接続体２００と第２接続体３００とを接続すべく、可撓性を有する接続体４０１（４０２）を備える。具体的には、図７（ａ）に示す伐採補助具１１は、環状の金属が連なって形成される長尺体（チェーン）を有する接続体４０１を備え、図７（ｂ）に示す伐採補助具１２は、紐状体からなる長尺体（ワイヤ、ロープ）を有する接続体４０２を備える。
【００６６】
また、上記実施形態に係る伐採補助具１においては、接続体４，４を一対備える場合を説明したが、斯かる場合に限られず、例えば、接続体４は、一つ備える場合でもよい。
【００６７】
また、上記実施形態に係る伐採補助具１を用いて伐採方法においては、立木１００の各側方に二つの切欠（受け口１０１及び追い口１０２）を形成する場合を説明したが、斯かる場合に限られず、例えば、立木１００の側方に一つの切欠を形成して、立木１００の上方部位１０３を転倒させて伐採する場合でもよい。
【符号の説明】
【００６８】
１，１０，１１，１２…伐採補助具、２，２０，２００…第１保持体、３，３０，３００…第２保持体、４，４０，４０１，４０２…接続体、４１，４２，４３，４４，４１０…リンク部材、１００…立木、１０３…立木の上方側の部位（上方部位）、１０４…立木の下方側の部位（下方部位）、３７０ｂ…案内部、３７０ｃ…係止部
【図１】
2011167158.tif 000003
【図２】
2011167158.tif 000004
【図３】
2011167158.tif 000005
【図４】
2011167158.tif 000006
【図５】
2011167158.tif 000007
【図６】
2011167158.tif 000008
【図７】
2011167158.tif 000009